(57)【要約】【課題】本発明の課題は、技術水準の欠点を回避し、かつ、手間がかかり高価な添加装置なしに、ＰＭＭＡ粉末の容易だがにもかかわらず正確である計量供給を可能にする容器及びそのような容器の使用を提示することである【解決手段】ＰＭＭＡ粉末成分及び液状ＭＭＡモノマー成分から構成される二成分系のＰＭＭＡ粉末含分を収容する容器において、ＭＭＡモノマー成分中に溶解性の材料からなることを特徴とする容器、歯科原料としての又は組織学又はメタログラフィのための埋め込み材としての又は動物医薬における使用が予定されている、ＰＭＭＡ粉末成分及びＭＭＡモノマー成分からなる二成分系のＰＭＭＡ粉末含分の保管のための容器の使用により解決される。【選択図】なし【特許請求の範囲】
【請求項１】
ＰＭＭＡ粉末成分及び液状ＭＭＡモノマー成分から構成される二成分系のＰＭＭＡ粉末含分を収容する容器において、ＭＭＡモノマー成分中に溶解性の材料からなることを特徴とする容器。
【請求項２】
ＰＭＭＡシートからなることを特徴とする請求項１記載の容器。
【請求項３】
ＰＭＭＡシートが１０〜２０００μｍの壁厚を有する請求項２記載の容器。
【請求項４】
ＰＭＭＡシートが２０〜２００μｍの壁厚を有する請求項２記載の容器。
【請求項５】
閉鎖された状態でＰＭＭＡ粉末に密に隣接することを特徴とする請求項１から４までのいずれか１項記載の容器。
【請求項６】
最小限のシート含分を有するコンパクトな幾何学を有する請求項１から５までのいずれか１項記載の容器。
【請求項７】
微小孔があけられており、その際この孔の大きさがこの包装された粉末の粒径を下回ることを特徴とする請求項１から６までのいずれか１項記載の容器。
【請求項８】
平袋、ユーロ孔を有する平袋、丸孔を有する平袋、チェーン袋、スタンディング底袋、ガゼット袋、安定包装袋、三方シール縁袋、四方シール縁袋、四面体形状袋、ブロック底袋、カプセル又は窪み包装として構成されている請求項１から７までのいずれか１項記載の容器。
【請求項９】
丸状、三角形、四角形又は多角形、正方形、星状、長方形、卵状、楕円形又は台形の断面を有するポーション包装として構成されている請求項１から８までのいずれか１項記載の容器。
【請求項１０】
歯科原料としての又は組織学又はメタログラフィのための埋め込み材としての又は動物医薬における使用が予定されている、ＰＭＭＡ粉末成分及びＭＭＡモノマー成分から構成される二成分系のＰＭＭＡ粉末含分の保管のための請求項１から９までのいずれか１項記載の容器の使用。
【請求項１１】
ＭＭＡモノマー成分と一緒での組み合わせ包装における請求項１から９までのいずれか１項記載の容器の使用。
【発明の詳細な説明】
【技術分野】
【０００１】
本発明は、ＰＭＭＡ粉末成分及びＭＭＡモノマー成分から構成される二成分系のＰＭＭＡ粉末含分を収容する容器並びにその容器の使用に関する。この二成分系は例えば歯科材料である。
【背景技術】
【０００２】
背景技術及び課題の提示
取り出し可能な義歯、例えば全歯プロテーゼ又は部分歯プロテーゼの製造の際にはいわゆるプロテーゼ基礎材料が使用される。主としてＰＭＭＡを基礎とする粉末及び主としてＭＭＡからなる液体の混合により、硬化後に通常は歯肉の色のポリマーが生じ、これによりこの全プロテーゼ又は部分プロテーゼの人工歯は維持される。粉末及び液体の混合比についての使用マニュアルにおける製造者の正確な規準にもかかわらず、適用者の多数はこの場合に生じる混合物の粘度についての「感覚により」計量供給する。これにより原料特性における、色の印象における、及び、収縮挙動におけるゆらぎが生じる。さらに、非化学量論的な量の比により、高められた残留モノマー含量が生じ、かつ、これにより付随して患者のより高い健康的上の負荷が生じる。加えて、前述の変動可能な収縮により、歯科技術作業の適合非正確性が生じる。
【０００３】
粉末又は圧縮された固形物質の保存のための溶解性容器は自体公知である。ＥＰ０６４２９８５Ｂ１は、外側及び内側にそれぞれ水溶性又は水分散可能な袋を有する、危険な組成物のための包装系を開示する。これは、２の危険な農学的剤の別個の保存に利用され、その際、この外袋は剤の他に１以上の他の剤で充填されている内袋を含有する。請求項１７によれば特定の計量供給量が維持される。この全体の包装は水中での溶解が予定されている。
【０００４】
洗剤及び食器洗剤の分野では、同様に水溶性包装袋が確立されている。ＥＰ０１３２７２６Ｂ１は、所定の温度で水溶性である内側包装を記載し、その一方でこの外側包装は多孔性でありかつ水及び生成物に対して透過性である。この外側包装は、通例は粉末を含有し、かつ、この内側包装中には固体、ペースト状又は液状の成分が貯蔵されていることができる。ＤＥ１９５３７６７１Ａ１は、この系の更なる開発を説明する。ここでは、この内側容器は柔軟なシートからなっておらず、堅いか又は弾性のある水溶性材料からなり、例えばカプセルとして構成されている。
【０００５】
ＥＰ９４１９３９Ａ１は、溶解性容器中の溶解性生成物を記載し、両者とも所定量の溶媒中での溶解のために予定されている。請求項１１によれば、これは、様々な溶解性生成物を有する２つの一緒になった容器であることもできる。
【先行技術文献】
【特許文献】
【０００６】
【特許文献１】ＥＰ０６４２９８５Ｂ１
【特許文献２】ＥＰ０１３２７２６Ｂ１
【特許文献３】ＤＥ１９５３７６７１Ａ１
【特許文献４】ＥＰ９４１９３９Ａ１
【発明の概要】
【発明が解決しようとする課題】
【０００７】
本発明の課題は、前述の欠点を回避し、かつ、手間がかかり高価な添加装置なしに、ＰＭＭＡ粉末の容易だがにもかかわらず正確である計量供給を可能にする容器及びそのような容器の使用を提示することである。
【課題を解決するための手段】
【０００８】
この課題は、請求項１に容器に関して挙げた特徴組み合わせにより、そして、請求項１０及び１１にそのような容器の使用に関してあげた特徴組み合わせにより解決される。すなわち、ＰＭＭＡ粉末成分及び液状ＭＭＡモノマー成分から構成される二成分系のＰＭＭＡ粉末含分を収容する容器において、ＭＭＡモノマー成分中に溶解性の材料からなることを特徴とする容器により、歯科原料としての又は組織学又はメタログラフィのための埋め込み材としての又は動物医薬における使用が予定されているＰＭＭＡ粉末成分及びＭＭＡモノマー成分から構成される二成分系のＰＭＭＡ粉末含分の保管のための前記容器の使用により、そしてＭＭＡモノマー成分と一緒での組み合わせ包装における前記容器の使用により解決される。
【０００９】
本出願においては、直接的に液状モノマー成分中に溶解性である包装材料が推奨される。
【００１０】
したがって、本発明は、ＰＭＭＡ粉末成分及びＭＭＡモノマー成分から構成される二成分系のＰＭＭＡ粉末含分を含有し、ＭＭＡモノマー溶液中に溶解性の材料、特にＰＭＭＡシートからなる容器に関する。
【００１１】
このシートの壁厚は、目的に適合して１０〜２０００μｍ、特に２０〜２００μｍである。
【００１２】
この容器が閉鎖された状態においてＰＭＭＡ粉末に密接に隣接する場合に有利であることができる。これは、例えば真空化により達成される。この容器の幾何学は、目的に応じて、このシート含分が可能な限り少ないように構成されている。この容器は、最小限のシート含分を有するコンパクトな幾何学を有することができる。この容器は、微小孔があけられていることができ、その際この穴の大きさは、包装される粉末の粒径を下回る。この容器は、公知の様式で構成されていることができ、例えば平袋、ユーロ孔を有する平袋（Flachbeutel mit Euroloch）、丸孔を有する平袋、チェーン袋（Kettenbeutel）、スタンディング底袋（Standbodenbeutel）、ガゼット袋（Seitenfaltbeutel）、安定包装袋（Stabilpackbeutel）、三方シール縁袋（Drei-Siegelrandbeutel）、四方シール縁袋、四面体形状袋、ブロック底袋（Blockbodenbeutel）、カプセル又は窪み包装（Muldenverpackung）として構成されていることができる。
【００１３】
本発明によれば、この相応する粉末量がモノマー（例えばＭＭＡ）中に溶解性のシート中に包装又は密閉される。このためには、ポリマーシート、例えばＰＭＭＡからなるポリマーシートが提供される。
【００１４】
この場合にこの包装は緊密でない（lose）又はプレス処理された粉末ばら材（schuettung）を有する袋の形で又は形態を決定する（formschluessig）被覆を有するコンパクトな充填物においてシート又はフィルムにより行うことができる。
【００１５】
このシートは一方では、この製造及び輸送の間の機械的負荷を無事に乗り越えるために、そしてこの生成物に環境の影響、湿分及び汚れに対する十分な保護を提供するように十分に厚い壁厚を有しなくてはならず、他方では、このシートは可能な限り短い時間に溶けるか又は溶解するように十分に薄くなくてはならない。
【００１６】
ここでは材料厚＜６０μｍが有効であることが示された。
【００１７】
この容器は、丸状、三角形、四角形又は多角形、正方形、星状、長方形、卵状、楕円形又は台形の断面を有するポーション包装として構成されていることができる。
【００１８】
本発明は以下において実施例に基づきより詳細に説明される。
【実施例】
【００１９】
１．垂直のピロー袋（Schlauchbeutel）機械を介した袋製造
ＰＭＭＡシートから垂直に作業する袋機械を用いて三方シール縁袋を製造する。これは、成形機械、充填機械及び封止機械であり、この場合に作業工程においてこのパック材は成形、充填、真空化及び封止される。
【００２０】
個々の操作に引き続きこのシートがロールから取り去られ、垂直な輸送の間にチューブに成形され、縦に溶接される。粉末充填の直前にいわゆる横シールとじ目が形成され、生成物の上方に配置された第２の横シールとじ目を用いた封止により、封止され、袋線から分離される。
【００２１】
必要な取り出し量（Ausbringungsmenge）に応じてこの製造は一又は複数軌道式に行うことができる。
【００２２】
２．水平のピロー袋機械を介した三方シール縁袋製造
三方縁シール袋の製造は、確固たる基本パターン（fest Grundschema）に応じて進行する。このシート（例えばＰＭＭＡシート）をロールから巻ほどき、折り目付けにより底部を形成し、シーリングにより袋セグメント中への導入を行う。個々のパックに分離後にこの袋を回転タクト自動機械（Rundtaktautomat）において充填し、封止する。この機械は線形の包装ライン内でカートン詰め及び最終包装化と連結されていることができる。
【００２３】
３．水平のピロー袋機械を介した四方シール縁袋製造
この生成物をインラインで２つ存在する並行に進行する袋軌道の間に引き渡す。製造流れ中でこの袋を、充填後に周囲を四方縁シール袋としてシールし、その外側輪郭が切断される。
【００２４】
４．成形された袋の製造
いわゆる上側シート及び下側シート（例えばＰＭＭＡシート）をロールから巻ほどく。この作業経過の間にこの下側シートをインラインで真空及び熱変形下で金型キャビティ（Formnest）中で深絞りする。この方法を用いてシート窪みを成形した後に、これを粉末で充填し、上側シートで真空下でシールする。最後にこの成形体の外側辺を打ち抜き、個別化する。